(57)【要約】【課題】ＦＡＸ自動切替機能を備えたボタン電話装置で、ＦＡＸ通信が終了したことを即座にボタン電話機の利用者に通知する。【解決手段】１以上の外線および複数の内線を収容し、ＦＡＸ自動切替機能を備えたボタン電話主装置１０に、ＦＡＸ通信が終了したことを検出するＦＡＸ通信終了検出手段Ｆ４６と、ＦＡＸの通信が終了すると、ボタン電話機２０に音声合成音（可聴音）と可視表示で通知するＦＡＸ通信終了通知手段Ｆ４７とを備えた。【選択図】図２
2006174517.tif 000002
【特許請求の範囲】
【請求項１】
１以上の外線および複数の内線を収容するボタン電話主装置と、前記内線に接続される複数のボタン電話機と、ＦＡＸ通信可能な装置を接続したボタン電話装置において、
前記ボタン電話主装置に、着信したＦＡＸ通信をＦＡＸ通信可能な装置に接続するＦＡＸ自動切替機能と、ＦＡＸの通信が終了したことを検出するＦＡＸ通信終了検出手段と、該ＦＡＸ通信終了検出手段がＦＡＸの通信が終了したことを検出すると、前記ボタン電話機のうち予め設定されたボタン電話機へＦＡＸ通信が終了した旨を通知するＦＡＸ通信終了通知手段とを備え、
前記ボタン電話機に、ＦＡＸ通信終了を報知する手段を備えた
ことを特徴とするボタン電話装置。
【請求項２】
請求項１記載のボタン電話装置において、前記ＦＡＸ通信が終了したことを示す可聴音は、音声合成による言葉であることを特徴とするボタン電話装置。
【請求項３】
請求項１または請求項２記載のボタン電話装置において、前記ＦＡＸ通信が終了したことを示す可聴音を送出している間、該ボタン電話機に可視表示することを特徴とするボタン電話装置。
【請求項４】
１以上の外線および複数の内線を収容するボタン電話主装置と、前記内線に接続される複数のボタン電話機と、ＦＡＸ通信可能な装置を接続したボタン電話装置を構成するボタン電話主装置において、
着信したＦＡＸ通信をＦＡＸ通信可能な装置に接続するＦＡＸ自動切替機能と、ＦＡＸの通信が終了したことを検出するＦＡＸ通信終了検出手段と、該ＦＡＸ通信終了検出手段がＦＡＸの通信が終了したことを検出すると前記ボタン電話機のうち予め設定されたボタン電話機へＦＡＸ通信が終了した旨を通知するＦＡＸ通信終了通知手段とを備えた
ことを特徴とするボタン電話主装置。
【請求項５】
１以上の外線および複数の内線を収容するボタン電話主装置と、前記内線に接続される複数のボタン電話機と、ＦＡＸ通信可能な装置を接続したボタン電話装置を構成するボタン電話機において、
ボタン電話主装置から送られてきたＦＡＸ通信終了通知を可聴音で通報するＦＡＸ通信終了通報手段とを備えた
ことを特徴とするボタン電話機。
【請求項６】
請求項５記載のボタン電話機において、
ボタン電話主装置から送られてきたＦＡＸ通信終了通知を可聴音で通報する間ＦＡＸ通信終了を表示する手段を備えた
ことを特徴とするボタン電話機。
【請求項７】
１以上の外線および複数の電話機とＦＡＸ通信可能な装置が接続される複数の内線を収容する構内交換装置において、
着信したＦＡＸ通信をＦＡＸ通信可能な装置に接続する交換機能と、ＦＡＸの通信が終了したことを検出するＦＡＸ通信終了検出手段と、該ＦＡＸ通信終了検出手段がＦＡＸの通信が終了したことを検出すると前記電話機のうち予め設定された電話機へＦＡＸ通信が終了した旨を通知するＦＡＸ通信終了通知手段とを備えた
ことを特徴とする構内交換装置。
【発明の詳細な説明】
【技術分野】
【０００１】
本発明は、１以上の外線および複数の内線を収容するボタン電話主装置と、前記内線に接続されるファクシミリ装置（以下、ＦＡＸまたはＦＡＸ通信可能な装置という）を含む複数のボタン電話機とからなるボタン電話装置に関し、ボタン電話主装置がＦＡＸ自動切替機能を備え、特にＦＡＸが通信を終了したことをボタン電話機に通知し、ボタン電話機がＦＡＸ通信の終了を音声によって通報することができるようにしたボタン電話装置に関する。
【背景技術】
【０００２】
本発明のＦＡＸ自動切替機能とは、外線着信時に後述するようなＦＡＸへの着信か否かを識別する手段によって、電話への着信かＦＡＸへの着信かを自動的に識別し、電話への着信の場合は内線のボタン電話機に着信させ、ＦＡＸへの着信の場合はＦＡＸへ着信させる機能をいう。
【０００３】
ＦＡＸ自動切替機能としては、ＦＡＸ間で通常用いられる自動通信信号（一般的にはＣＮＧ信号）を検出する手段を備え、自動通信信号を検出するとＦＡＸに着信させるものがある（例えば、特許文献１参照）。
【０００４】
また、外線がＩＳＤＮ回線の場合、ＩＳＤＮの呼設定メッセージ中の高位レイヤ整合性を検知する手段を備え、該高位レイヤ整合性がＦＡＸの時、ＦＡＸに接続させるものがある（例えば、特許文献２参照）。
【０００５】
さらに、外線着信時に受信した発信者電話番号により、予め登録されている発信者電話番号と、外線から受信した発信者電話番号が一致した場合、ＦＡＸに接続させるものがある（例えば、特許文献３参照）。
【０００６】
上記ＦＡＸ自動切替機能はいずれもＦＡＸへの自動切替手段に関しては有効である。しかしながら、ボタン電話装置等の構内電話システムを使用している場合、ＦＡＸが、事務室の片隅あるいは事務室とは別の部屋に設置されることがあり、利用者にとっては、ＦＡＸが受信したかを確認するには、ＦＡＸの設置場所まで行ってＦＡＸ受信用紙が出ているかを見る必要がある。その解決策として、ＦＡＸ着信した時にボタン電話機に備えたＦＡＸ受信表示ランプを点灯させるものが提案されている（例えば、特許文献４参照）。
【０００７】
しかし、ＦＡＸ着信した時にボタン電話機にＦＡＸ受信表示ランプを設けただけでは、該ＦＡＸ受信表示ランプを見るのを忘れたときには役に立たず。また、仮にＦＡＸ受信表示ランプの点灯を見たとしても、ＦＡＸに着信した時からＦＡＸ受信ランプを点灯させるため、ＦＡＸ受信の時間が長かった場合は、受信が終了するまでＦＡＸ設置場所に居る必要があり、利用者の利便性は低かった。
【特許文献１】特公平４−２０３１８号公報
【特許文献２】特開平５−７２７２号公報
【特許文献３】特開平１０−１３６５３号公報
【特許文献４】特開平８−９０５２号公報
【発明の開示】
【発明が解決しようとする課題】
【０００８】
本発明が、解決しようとする課題は、ＦＡＸ自動切替機能を備えたボタン電話主装置を使用し、ＦＡＸ通信可能な装置が事務室の片隅あるいは事務室とは別の部屋に設置されていた場合、ＦＡＸ通信可能な装置が受信または送信を終了したことなどを即座にボタン電話機の利用者に音声によって通知し、利用者の利便性を向上させることである。
【課題を解決するための手段】
【０００９】
上記課題を解決するために、本発明は、１以上の外線および複数の内線を収容するボタン電話主装置と、前記内線に接続される複数のボタン電話機と、ＦＡＸ通信可能な装置からなるボタン電話装置において、前記ボタン電話主装置に、ＦＡＸ着信をＦＡＸ通信可能な装置に接続するＦＡＸ自動切替機能と、ＦＡＸ通信が終了したことなどを検出するＦＡＸ通信終了検出手段と、ＦＡＸ通信の終了を検出したときにＦＡＸ通信が終了したことなどをボタン電話機へ可聴音で通知するＦＡＸ通信終了通知手段を備え、ボタン電話機にＦＡＸ通信が終了したことなどを示す可聴音を送出するＦＡＸ通信終了通報手段を備え、前記ＦＡＸ通信終了検出手段がＦＡＸ通信の終了を検出すると、前記ボタン電話機のうち、予め設定されたボタン電話機よりＦＡＸ通信が終了したことなどを示す可聴音を送出するようにした。
【００１０】
また、本発明は、前記ＦＡＸ通信が終了したことなどを示す可聴音は、音声合成による言葉であることを特徴とした。言葉の例としては、「ファクシミリを受信しました。」「ファクシミリを送信しました。」などがある。なお、この音声は、フレーズ毎の合成ではなくて、一連のメッセージとして予め録音しておいたものでも良い。
【００１１】
さらに、本発明は、前記ＦＡＸ通信が終了したことなどを示す可聴音を送出している間、該ボタン電話機にその旨を可視表示することを特徴とした。可視表示の例としては、ＬＣＤ表示部への文字表示あるいはＦＡＸ通信終了表示用ＬＥＤの点灯などがある。
【発明の効果】
【００１２】
本発明によれば、ＦＡＸ通信が終了したことを、ボタン電話機より可聴音を送出することにより、即座に利用者に知らせることができる。したがって、利用者はＦＡＸ通信（受信）が終了してからＦＡＸ設置場所に行き、ＦＡＸ受信用紙を取ってくれば良く、ＦＡＸ通信の着信時から受信終了まで待っている必要がなくなり、利便性が向上する。さらに、ＦＡＸ送信時には、利用者は送信処理を開始した後席に戻り、ＦＡＸ通信（送信）が終了してからＦＡＸ設置場所に行き、ＦＡＸ送信用紙を取ってくれば良く、ＦＡＸの送信開始時から送信終了まで待っている必要がなくなり、利便性が向上する。
【００１３】
また、本発明によれば、ＦＡＸ通信が終了したことなどを、音声合成による言葉で送出することにより、他の可聴音（例えば、外線着信音）との識別が容易になり、利便性が向上する。
【００１４】
さらに、本発明によれば、ＦＡＸ通信が終了したことなどを知らせる可聴音、または音声合成による言葉を送出している間、該ボタン電話機にその旨を可視表示することで、該ボタン電話機の周囲が騒がしく、ＦＡＸ通信が終了したことなどを知らせる可聴音、または音声合成による言葉が聞こえにくい場合にも容易に運用することができる。
【発明を実施するための最良の形態】
【００１５】
以下、本発明の実施形態について説明する。なお、以下の実施形態では、ボタン電話装置としてボタン電話主装置と該ボタン電話主装置に接続された有線式ボタン電話機を例にあげて説明する。しかし、本発明はこれに限定されない。例えば、有線式ボタン電話機の代わりに無線式ボタン電話機を用いることができる。また、本発明は、ボタン電話装置で実施するだけでなく、ボタン電話機を収容する構内交換機で実施してもよい。
【００１６】
図１は、本発明に係るボタン電話装置を構成するボタン電話主装置１０と、ボタン電話機２０の構成概略図である。図２は、本発明に係るボタン電話主装置１０の中央制御部１１と、記憶部１６の機能ブロック図である。図３は、本発明に係るボタン電話主装置１０の中央制御部１１内のＦＡＸ通信終了検出手段Ｆ４６と、ＦＡＸ通信終了通知手段Ｆ４７における処理のフローチャートである。
【００１７】
まず、図１を用いてボタン電話装置を構成するボタン電話主装置１０と、ボタン電話機２０の構成の概要を説明する。ボタン電話装置は、１以上の外線および複数の内線を収容するボタン電話主装置１０と、該ボタン電話主装置１０に接続された複数のボタン電話機２０−１〜２０−ｎと、該ボタン電話主装置１０に接続されたＦＡＸ通信可能な装置３０から構成される。
【００１８】
ボタン電話主装置１０は、中央制御部１１と、通話路スイッチ１２と、１以上の外線回路１３−１〜１３−ｎと、音声合成部１４と、複数の内線回路１５−１〜１５−ｎと、記憶部１６と、内線回路の一種であるＦＡＸ回路１７を有して構成される。
【００１９】
中央制御部１１は、ボタン電話主装置１０の各回路からの入力情報（ボタン電話機２０からの情報も含む）に対する解析や判断、記憶部１６に対する情報の入出力、各回路の制御を行う。
【００２０】
通話路スイッチ１２は、ボタン電話主装置１０内の交換処理（外線と内線の接続、音声合成部の内線・外線への接続、他）を行う。
【００２１】
外線回路１３−１〜１３−ｎは、外線に接続されるインタフェース回路である。
【００２２】
音声合成部１４は、ボタン電話機２０にＦＡＸ通信が終了したことなどを示す可聴音として、音声合成による言葉（例えば、「ファクシミリを受信しました。」、「ファクシミリを送信しました。」、「ファクシミリ通信が失敗しました。」など）を、通話路スイッチ１２経由で内線に送出する回路である。なお、本実施例では可聴音として音声合成により得た音声としたが、この音声は、フレーズ毎の合成ではなくて、一連のメッセージとして予め録音しておいたものでも良く、トーン信号等の可聴音を使用しても良い。
【００２３】
内線回路１５−１〜１５−ｎは、ボタン電話機２０−１〜２０−ｎと音声データ、制御データの通信を行うためのインタフェース回路である。
【００２４】
記憶部１６は、通常の記憶部としての働きの他に、ＦＡＸ通信が終了したときに可聴音を送出するボタン電話機が予め記憶される。
【００２５】
ＦＡＸ回路１７は、内線回路の一種であり、ＦＡＸ通信可能な装置３０とデータの通信を行うためのインタフェース回路である。
【００２６】
また、ボタン電話機２０は、制御部２１と、データ送受信回路２２と、音声処理部２３と、送受話器２４と、スピーカ２５と、ダイヤルキー２６と、外線キー２７と、機能キー２８と、ＬＣＤ表示器２９を有して構成される。
【００２７】
制御部２１は、ボタン電話機２０内の各回路からの入力情報に対する解析や判断、各回路の制御を行う。
【００２８】
データ送受信回路２２は、内線を介してボタン電話主装置１０と音声データ、制御データの通信を行うためのインタフェース回路である。
【００２９】
音声処理部２３は、音声のデジタル／アナログ変換、アナログ／デジタル変換と、ボタン電話機２０内の送受話器２４やスピーカ２５等との通話路切替および音量を制御する。
【００３０】
送受話器２４は、一般的な通話時の送話、受話を行うためのハンドセットである。
【００３１】
スピーカ２５は、通常は着信音の送出や、スピーカによる拡声受話に使用し、ＦＡＸ通信終了時には、ＦＡＸ通信が終了したことを示す可聴音（音声合成音）を出力する。スピーカ１５は、ＦＡＸ通信終了通報手段として働く。
【００３２】
ダイヤルキー２６は、電話番号を入力する手段であり、また、各種設定の入力手段としても用いられる。
【００３３】
外線キー２７は、複数ある外線から使用したい外線を選択するためのボタンである。
【００３４】
機能キー２８は、ボタン電話装置で一般的に使用する保留や拡声受話、各種設定への移行等のボタンである。
【００３５】
ＬＣＤ表示器２９は、電話番号、通話時間等を表示する。また、ＦＡＸ通信が終了したことなどを示す可聴音（音声合成音）を送出している間に、例えば“ファクシミリ受信”、“ファクシミリ送信”、“ファクシミリエラー”などの可視表示を行う。
【００３６】
次に、本発明に係るボタン電話主装置１０の中央制御部１１と記憶部１６の機能構成を、図２を用いて説明する。ボタン電話主装置１０は、中央制御部１１が、少なくとも、外線回路制御手段Ｆ４０と、音声合成制御手段Ｆ４１と、通話路制御手段Ｆ４２と、ＦＡＸ回路制御手段Ｆ４３と、データ送受信手段Ｆ４４と、ＦＡＸ自動切替検出手段Ｆ４５と、ＦＡＸ通信終了検出手段Ｆ４６と、ＦＡＸ通信終了通知手段Ｆ４７とを有しており、記憶部１６に予め設定されたボタン電話機情報Ｆ４８を格納して構成される。
【００３７】
外線回路制御手段Ｆ４０は、外線回路１３から受信したデータから、発信者電話番号、ＩＳＤＮの場合は高位レイヤ整合性、あるいは、ＦＡＸ間で通常用いられる自動通信信号（一般的にはＣＮＧ信号）を検出し、ＦＡＸ自動切替検出手段Ｆ４５へ通知する。
【００３８】
音声合成制御手段Ｆ４１は、ＦＡＸ通信終了通知手段Ｆ４７からの通知で、音声合成部１４に音声フレーズの組合せ（例えば、ファクシミリを受信しました。）を指示する機能を有している。
【００３９】
通話路制御手段Ｆ４２は、ＦＡＸ自動切替検出手段Ｆ４５からの通知で、通話路スイッチ１２へ、外線１３とＦＡＸ回路１７の接続を指示し。また、ＦＡＸ通信終了通知手段Ｆ４７からの通知で、通話路スイッチ１２へ、音声合成部１４と、内線回路１５の接続を指示する機能を有している。
【００４０】
ＦＡＸ回路制御手段Ｆ４３は、ＦＡＸ自動切替検出手段Ｆ４５からの通知で、ＦＡＸ回路１７への呼出信号送出、ＦＡＸ３０の応答監視等を行い、通信ループの状態をＦＡＸ通信終了検出手段Ｆ４６へ通知する機能を有している。なお、本実施例の場合は、アナログ回線用のＦＡＸを接続したことで説明している。
【００４１】
データ送受信手段Ｆ４４は、ＦＡＸ自動切替検出手段Ｆ４５からの通知で、対応した外線ランプの使用中情報を、内線回路１５経由でボタン電話機２０へ送出する。また、ＦＡＸ通信終了通知手段Ｆ４７からの通知で、ボタン電話機２０のスピーカ２５のオン情報の送出、およびＬＣＤ表示器２９へ、例えば“ファクシミリ受信”等の可視表示情報の送出を行う機能を有している。
【００４２】
ＦＡＸ自動切替検出手段Ｆ４５は、外線回路制御手段Ｆ４０より通知された発信者電話番号、ＩＳＤＮの場合は高位レイヤ整合性、あるいは、ＦＡＸ間で通常用いられる自動通信信号（一般的にはＣＮＧ信号）を解析し、ＦＡＸ通信可能な装置に接続する必要があると判断した場合、通話路制御手段Ｆ４２へ、外線回路１３とＦＡＸ回路１７との接続を通知し、ＦＡＸ回路制御手段Ｆ４３へ、ＦＡＸ通信可能な装置３０への呼出信号送出を通知し、さらにデータ送受信手段Ｆ４４へ、対応した外線ランプの使用中情報の送出を通知する機能を有している。
【００４３】
ＦＡＸ通信終了検出手段Ｆ４６は、ＦＡＸ回路制御手段Ｆ４３より通知された、通信ループの状態を監視し、終話を検出した場合、ＦＡＸ通信終了通知手段Ｆ４７へ通知する機能を有している。さらに、ＦＡＸ通信終了検出手段Ｆ４６は、ＦＡＸ通信（送信、受信）が成功したか失敗したかを監視し、ＦＡＸ通信が失敗したときには、その旨を、ＦＡＸ通信終了通知手段Ｆ４７へ通知する機能を有することもできる。
【００４４】
ＦＡＸ通信終了通知手段Ｆ４７は、ＦＡＸ通信終了検出手段Ｆ４６よりの通知を受けると、記憶部１６内の予め設定されたボタン電話機情報Ｆ４８を見て、該ボタン電話機に、スピーカ２５のオン情報の送出、およびＬＣＤ表示器２９へ、例えば“ファクシミリ受信”等の可視表示情報の送出を行う指示をデータ送受信手段Ｆ４４へ指示する。また、通話路制御手段Ｆ４２へ、音声合成部１４とＦＡＸ回路１７との接続指示と、音声合成制御手段Ｆ４１への音声フレーズの組合せ（例えば、ファクシミリを受信しました。）を指示する機能を有している。
【００４５】
記憶部１６内の予め設定されたボタン電話機情報Ｆ４８は、ＦＡＸ通信が終了したことを示す可聴音、可視表示を出力するボタン電話機を決めるための記憶手段である。なお、登録する手段については、通常の登録手段であってよくその説明を省略する。
【００４６】
次に、図３を用いて、ボタン電話主装置１０の中央制御部１１内の処理を説明する。図３は、本発明に関する手段を主体に図示してある。図３は、［Ａ］と［Ｂ］の２つの処理を図示している。［Ａ］は約１００ミリ秒毎に周期的に起動される処理であり、［Ｂ］は約５００ミリ秒毎に周期的に起動される処理である。
【００４７】
まず、［Ａ］側の処理を説明する。ＦＡＸ通信終了検出手段Ｆ４６に相当する処理で、ＦＡＸ通信終了かの判定を行う（Ｓ５０）。ＦＡＸ通信が終了していない場合（通信中）は、他処理を行い（Ｓ５７）終了する。
【００４８】
ステップＳ５０でＦＡＸ通信が終了した場合、通信終了処理（ＦＡＸ待機へ移行）を行う（Ｓ５１）。次に、ＦＡＸ通信終了通知手段Ｆ４７に相当する処理で、記憶部１６内の予め設定されたボタン電話機情報Ｆ４８を見て、該ボタン電話機２０へスピーカ２５のオン情報を送出する（Ｓ５２）。次に、ＦＡＸ通信が終了したことを示す可視表示を行う場合、該ボタン電話機２０のＬＣＤ表示器２９へ、例えば“ファクシミリ受信”等の可視表示情報の送出を行う（Ｓ５３）。
【００４９】
引き続き、該ボタン電話機２０と音声合成部１４の通話路を閉結する制御を行う（Ｓ５４）。次に、音声合成部１４へＦＡＸ通信が終了したことを示す可聴音（例えば、ファクシミリを受信しました。）の送出を指示する（Ｓ５５）。次に、可聴音を送出している時間を決定するタイマー（可聴音用タイマー）をセットし（Ｓ５６）、処理を終了する。
【００５０】
次に、［Ｂ］側の処理を説明する。まず、可聴音用タイマーをマイナス１し（Ｓ６０）、タイムアウトしたかを判定する（Ｓ６１）。タイムアウトしていなければ処理を終了する。
【００５１】
ステップＳ６１でタイムアウトした場合、該ボタン電話機２０へ送出したスピーカ２５のオフ情報を送出し（Ｓ６２）、ＬＣＤ表示器２９への可視表示情報の消灯を送出し（Ｓ６３）、該ボタン電話機２０と音声合成部１４との通話路を開放する制御を行い（Ｓ６４）、音声合成部１４に停止を指示する（Ｓ６５）。
【図面の簡単な説明】
【００５２】
【図１】本発明に係るボタン電話主装置１０と、ボタン電話機２０の構成概略図。
【図２】本発明に係る中央制御部１１と、記憶部１６の機能ブロック図。
【図３】本発明に係るボタン電話主装置１０における中央制御部１１内のフローチャート。
【符号の説明】
【００５３】
１０  ボタン電話主装置
１１  中央制御部
１２  通話路スイッチ
１３  外線回路
１４  音声合成部
１５  内線回路
１６  記憶部
１７  ＦＡＸ回路
２０  ボタン電話機
２１  制御部
２２  データ送受信回路
２３  音声処理部
２４  送受話器
２５  スピーカ
２６  ダイヤルキー
２７  外線キー
２８  機能キー
２９  ＬＣＤ表示器
３０  ＦＡＸ通信可能な装置
Ｆ４０  外線回路制御手段
Ｆ４１  音声合成制御手段
Ｆ４２  通話路制御手段
Ｆ４３  ＦＡＸ回路制御手段
Ｆ４４  データ送受信手段
Ｆ４５  ＦＡＸ自動切替検出手段
Ｆ４６  ＦＡＸ通信終了検出手段
Ｆ４７  ＦＡＸ通信終了通知手段
Ｆ４８  予め設定されたボタン電話機情報
【図１】
2006174517.tif 000003
【図２】
2006174517.tif 000004
【図３】
2006174517.tif 000005
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
１以上の外線および複数の内線を有するボタン電話主装置と、前記内線に接続される複数のボタン電話機と、ＦＡＸ通信可能な装置を接続したボタン電話装置のＦＡＸ通信終了通知方法において、前記ボタン電話主装置に、着信したＦＡＸ通信をＦＡＸ通信可能な装置に接続するＦＡＸ自動切替ステップと、ＦＡＸの通信が終了したことを検出するＦＡＸ通信終了検出ステップと、該ＦＡＸ通信終了検出ステップがＦＡＸの通信が終了したことを検出すると、前記ボタン電話機のうち、予め設定されたボタン電話機へＦＡＸ通信が終了した旨を通知するＦＡＸ通信終了通知ステップとを備え、前記ボタン電話機に、ＦＡＸ通信終了を可聴音で報知するステップと、前記可聴音を送出している間は可視表示するステップとを備えたことを特徴とするボタン電話装置のＦＡＸ通信終了通知方法。
【請求項２】
請求項１記載のＦＡＸ通信終了通知方法において、前記ＦＡＸ通信が終了したことを示す可聴音は、音声合成による言葉であることを特徴とするボタン電話装置のＦＡＸ通信終了通知方法。
【請求項３】
請求項１または請求項２記載のＦＡＸ通信終了通知方法において、前記可視表示はＬＣＤ表示部に文字などでＦＡＸ通信終了したことを可視表示することを特徴とするボタン電話装置のＦＡＸ通信終了通知方法。
【手続補正３】
【補正対象書類名】明細書
【補正対象項目名】０００１
【補正方法】変更
【補正の内容】
【０００１】  本発明は、１以上の外線および複数の内線を収容するボタン電話主装置と、前記内線に接続されるファクシミリ装置（以下、ＦＡＸまたはＦＡＸ通信可能な装置という）を含む複数のボタン電話機とからなるボタン電話装置に関し、ボタン電話主装置がＦＡＸ自動切替機能を備え、特にＦＡＸが通信を終了したことをボタン電話機に通知し、ボタン電話機がＦＡＸ通信の終了を音声によって通報することができるようにしたボタン電話装置のＦＡＸ通信終了通知方法に関する。
【手続補正４】
【補正対象書類名】明細書
【補正対象項目名】０００９
【補正方法】変更
【補正の内容】
【０００９】  上記課題を解決するために、本発明は、１以上の外線および複数の内線を有するボタン電話主装置と、前記内線に接続される複数のボタン電話機と、ＦＡＸ通信可能な装置を接続したボタン電話装置のＦＡＸ通信終了通知方法において、前記ボタン電話主装置に、着信したＦＡＸ通信をＦＡＸ通信可能な装置に接続するＦＡＸ自動切替ステップと、ＦＡＸの通信が終了したことを検出するＦＡＸ通信終了検出ステップと、該ＦＡＸ通信終了検出ステップがＦＡＸの通信が終了したことを検出すると、前記ボタン電話機のうち、予め設定されたボタン電話機へＦＡＸ通信が終了した旨を通知するＦＡＸ通信終了通知ステップとを備え、前記ボタン電話機に、ＦＡＸ通信終了を可聴音で報知するステップと、前記可聴音を送出している間は可視表示するようにした。
【手続補正５】
【補正対象書類名】明細書
【補正対象項目名】００１１
【補正方法】変更
【補正の内容】
【００１１】  さらに、本発明は、前記ＦＡＸ通信終了通知方法において、前記可視表示はＬＣＤ表示部に文字などでＦＡＸ通信終了したことを可視表示する。可視表示の例としては、ＬＣＤ表示部への文字表示あるいはＦＡＸ通信終了表示用ＬＥＤの点灯などがある。
【手続補正６】
【補正対象書類名】明細書
【補正対象項目名】００１６
【補正方法】変更
【補正の内容】
【００１６】  図１は、本発明に係るボタン電話装置のＦＡＸ通信終了通知方法が適用されるボタン電話主装置１０と、ボタン電話機２０の構成概略図である。図２は、本発明に係るボタン電話装置のＦＡＸ通信終了通知方法が適用されるボタン電話主装置１０の中央制御部１１と、記憶部１６の機能ブロック図である。図３は、本発明に係るボタン電話装置のＦＡＸ通信終了通知方法が適用されるボタン電話主装置１０の中央制御部１１内のＦＡＸ通信終了検出手段Ｆ４６と、ＦＡＸ通信終了通知手段Ｆ４７における処理のフローチャートである。
【手続補正７】
【補正対象書類名】明細書
【補正対象項目名】００３６
【補正方法】変更
【補正の内容】
【００３６】  次に、本発明に係るボタン電話装置のＦＡＸ通信終了通知方法が適用されるボタン電話主装置１０の中央制御部１１と記憶部１６の機能構成を、図２を用いて説明する。ボタン電話主装置１０は、中央制御部１１が、少なくとも、外線回路制御手段Ｆ４０と、音声合成制御手段Ｆ４１と、通話路制御手段Ｆ４２と、ＦＡＸ回路制御手段Ｆ４３と、データ送受信手段Ｆ４４と、ＦＡＸ自動切替検出手段Ｆ４５と、ＦＡＸ通信終了検出手段Ｆ４６と、ＦＡＸ通信終了通知手段Ｆ４７とを有しており、記憶部１６に予め設定されたボタン電話機情報Ｆ４８を格納して構成される。
【手続補正８】
【補正対象書類名】明細書
【補正対象項目名】００５２
【補正方法】変更
【補正の内容】
【００５２】
【図１】本発明に係るボタン電話装置のＦＡＸ通信終了通知方法が適用されるボタン電話主装置１０と、ボタン電話機２０の構成概略図。
【図２】本発明に係る中央制御部１１と、記憶部１６の機能ブロック図。
【図３】本発明に係るボタン電話装置のＦＡＸ通信終了通知方法が適用されるボタン電話主装置１０における中央制御部１１内のフローチャート。